(57)【要約】【課題】  収納棚の下降時における異物の挟み込みを抑制することが可能な昇降式収納装置を提供する。【解決手段】  この昇降式収納装置１００は、キッチン用フロアキャビネット１のカウンター１ａの一部に形成した昇降用開口５内に配置される水切り棚２と、水切り棚２をカウンター１ａの下方の収納空間１４に下降させるとともに、カウンター１ａの上方に上昇させる昇降機構６とを備え、水切り棚２（収納棚）を、スイッチパネル７の下降スイッチ７ｃが押されるのを起点として連続的に下降させ、水切り棚２の天板カウンター４の下部が昇降用開口５より上方に所定間隔ｄ（約１００ｍｍ）を隔てた位置まで下降した際に一時停止させるように制御する制御ボックス３２を備えたことを特徴とする。【選択図】  図４
2006296674.tif 000002
【特許請求の範囲】
【請求項１】
キッチン用フロアキャビネットのカウンターの一部に形成した昇降用開口内に配置される収納棚と、前記収納棚を前記カウンターの下方の収納空間に下降させるとともに、前記カウンターの上方に上昇させる昇降機構とを備えた昇降式収納装置において、
前記収納棚を、下降指示を起点として連続的に下降させ、前記収納棚の上部が前記昇降用開口より上方に所定間隔を隔てた位置まで下降した際に一時停止させるように制御する制御手段を備えたことを特徴とする、昇降式収納装置。
【請求項２】
前記下降指示は、前記収納棚の上部に設けた下降スイッチが押されることにより出力され、
前記収納棚は、前記収納棚の一時停止後に前記下降スイッチを改めて押し続けることにより、一時停止位置よりさらに下降するように制御されることを特徴とする、請求項１に記載の昇降式収納装置。
【発明の詳細な説明】
【技術分野】
【０００１】
本発明は、キッチン用フロアキャビネットに装備される昇降式収納装置に関する。
【背景技術】
【０００２】
従来の一般的なキッチン用フロアキャビネットでは、皿や鍋、調味料などの収納物を収納するための収納部がカウンターの下方に設けられており、収納物の出し入れを行う際には、調理作業などを中断して屈んだ姿勢で収納物を出し入れする必要があった。
【０００３】
このため、従来、キッチン用フロアキャビネットの上方に配置された天袋に、上下方向に移動可能な収納部を設ける技術が知られている（たとえば、特許文献１および２参照）。この特許文献１および２に開示されたような昇降式収納装置では、収納物の出し入れを行う際に、天袋の収納部を引き下ろすことによって、立った姿勢のままで収納物の出し入れを行うことができるようにしている。
【０００４】
しかしながら、上記特許文献１および２のような従来の昇降式収納装置では、収納部が天袋に設けられているので、収納部を引き下ろした状態でも、収納部の上部に対して収納物の出し入れを行うのが困難な場合があるという不都合がある。また、キッチンとダイニングとの間に壁面が存在しない、いわゆるオープン型の対面キッチンにおいては、収納部を設置するための壁面（天袋）が存在しないので、昇降式収納装置を設置するのが困難であるという不都合がある。
【０００５】
そこで、上記した不都合を解消するために、本出願人は、オープン型の対面キッチンにも設置可能で、収納物を容易に出し入れすることが可能な昇降式収納装置を提案した。すなわち、本出願人による昇降式収納装置は、キッチン用フロアキャビネットのカウンターの一部に形成した昇降用開口内に配置される収納棚（水切り棚）と、その収納棚をカウンターの下方の収納空間に下降させるとともに、カウンターの上方に上昇させる昇降機構とを備えている。
【特許文献１】特開２０００−３１６６４３号公報
【特許文献２】特開２００１−１４９２９７号公報
【発明の開示】
【発明が解決しようとする課題】
【０００６】
上記した本出願人の提案による昇降式収納装置において、収納棚の下降時に、収納棚と昇降用開口との間に異物が挟まれるのを抑制したいという要望がある。
【０００７】
この発明は、上記のような要望に応えるためになされたものであり、収納棚の下降時における異物の挟み込みを抑制することが可能な昇降式収納装置を提供することを目的とする。
【課題を解決するための手段】
【０００８】
上記目的を達成するために、この発明の昇降式収納装置は、キッチン用フロアキャビネットのカウンターの一部に形成した昇降用開口内に配置される収納棚と、収納棚をカウンターの下方の収納空間に下降させるとともに、カウンターの上方に上昇させる昇降機構とを備えた昇降式収納装置において、収納棚を、下降指示を起点として連続的に下降させ、収納棚の上部が昇降用開口より上方に所定間隔を隔てた位置まで下降した際に一時停止させるように制御する制御手段を備えたことを特徴とする。
【０００９】
収納棚の下降時における異物の挟み込みをより確実に抑制するために、下降指示は、収納棚の上部に設けた下降スイッチが押されることにより出力され、収納棚は、収納棚の一時停止後に下降スイッチを改めて押し続けることにより、一時停止位置よりさらに下降するように制御されることが好ましい。
【発明の効果】
【００１０】
この発明の昇降式収納装置によれば、下降指示を起点として下降する収納棚を、収納棚の上部が昇降用開口より上方に所定間隔を隔てた位置まで下降した際に一時停止させるように制御することによって、収納棚が下降終端位置まで連続して下降せずに下降途中の所定位置で一時停止するので、収納棚の下降中に収納棚の上部と昇降用開口との間に異物（たとえば、食器類や調味料の瓶など）が存在したとしても、その異物が収納棚の上部と昇降用開口とにより挟まれるのを抑制することができる。これにより、収納棚の下降時における異物の挟み込みを抑制することができる。
【発明を実施するための最良の形態】
【００１１】
以下、本発明の実施形態を図面に基づいて説明する。
【００１２】
図１および図２は、本発明の一実施形態による昇降式収納装置を含むキッチン用フロアキャビネットの全体構成を示した斜視図であり、図３〜図１０は、図１に示したキッチン用フロアキャビネットの昇降式収納装置の構成を示した図である。また、図１１〜図１３は、図２に示した一実施形態による昇降式収納装置の水切り棚の下降動作を説明するための図である。まず、図１および図２を参照して、本発明の一実施形態による昇降式収納装置１００を含むキッチン用フロアキャビネット１について説明する。なお、本実施形態では、キッチンとダイニング・リビングとの間に壁面が存在しない、いわゆるオープン型の対面キッチンにキッチン用フロアキャビネット１を適用する例を示したが、オープン型の対面キッチン以外のキッチンにもキッチン用フロアキャビネット１を適用可能である。
【００１３】
キッチン用フロアキャビネット１は、図１および図２に示すように、上面を覆うカウンター１ａと、カウンター１ａ上の右側位置に設けられたシンク３と、シンク３の後方（キッチンからダイニング・リビングに向かう方向）に配置された本発明の一実施形態による昇降式収納装置１００とを備えている。なお、昇降式収納装置１００は、シンク３の側方に配置されていてもよい。また、キッチン用フロアキャビネット１における左右方向は、ユーザがキッチンからダイニング・リビングを向いた状態を基準としている。
【００１４】
本実施形態による昇降式収納装置１００は、図４および図５に示すように、食器類の水切りを行うための水切り棚２と、水切り棚２を昇降可能に支持する昇降機構６とにより構成されている。なお、水切り棚２は、本発明の「収納棚」の一例である。この水切り棚２は、図２に示すように、カウンター１ａの一部に形成された昇降用開口５内に配置されており、水切り棚２の下方に設けられた昇降機構６により、カウンター１ａの下方の下降位置Ｄ（図１参照）とカウンター１ａの上方の上昇位置Ｕ（図２参照）との間を昇降可能なように構成されている。また、昇降用開口５には、横長形状のカバー枠８が装着されている。
【００１５】
水切り棚２には、図２および図８に示すように、食器類を載置して水切りを行うための２つの水切り部２ａおよび２ｂが上下２段で設けられている。また、水切り棚２の上面は、天板カウンター４により覆われている。この天板カウンター４は、図１に示すように、水切り棚２が下降位置Ｄに位置する際に、カバー枠８（図２参照）とともに昇降用開口５を覆うようにキッチン用フロアキャビネット１のカウンター１ａの上面とわずかな間隔を隔てて対向配置されることによって、カウンター１ａの一部を構成する。これにより、水切り棚２の天板カウンター４の上面を作業スペースとして利用することが可能である。
【００１６】
また、水切り棚２は、図８に示すように、横長形状の上部フレーム２Ａおよび下部フレーム２Ｂと、縦長形状の左側部フレーム２Ｃおよび右側部フレーム２Ｄとを溶接などにより一体的に組み立てることにより構成されている。上部フレーム２Ａ、下部フレーム２Ｂ、左側部フレーム２Ｃおよび右側部フレーム２Ｄにより囲まれる水切り棚２の後面側（ダイニング・リビング側）には、化粧板１１が取り付けられている。また、左側部フレーム２Ｃ、右側部フレーム２Ｄおよび上部フレーム２Ａには、それぞれ、化粧板１２ａ、１２ｂおよび１２ｃが取り付けられている。なお、化粧板１１を透光性材料により形成した場合には、光が化粧板１１を透過することが可能になるので、ダイニング・リビング側からの光により水切り棚２の内部を明るく照らすことが可能になる。
【００１７】
また、水切り棚２の化粧板１２ｃには、換気ファン３５が取り付けられている。この換気ファン３５には、湿度を検出する湿度センサー（図示せず）が取り付けられており、湿度が所定値以上のときに換気ファン３５を駆動させるように構成されている。なお、換気ファン３５は、後述する収納空間１４の内部に取り付けられていてもよい。また、上述した天板カウンター４は、化粧板１２ｃを介して水切り棚２の上部フレーム２Ａに取り付けられている。
【００１８】
昇降用開口５の下方に位置するキッチン用フロアキャビネット１の内部には、図４〜図７に示すように、下降位置Ｄに位置する水切り棚２を収容可能な収納空間１４が設けられている。この収納空間１４は、左側板１４Ａ、右側板１４Ｂおよび底板１４Ｃにより上面が開口したコの字状に形成されており、左側板１４Ａ、右側板１４Ｂおよび底板１４Ｃにより囲まれるキッチン側の面には、背板１４Ｄが取り付けられるとともに、左側板１４Ａ、右側板１４Ｂおよび底板１４Ｃにより囲まれるダイニング・リビング側の面には、点検用扉１４Ｅ（図６および図７参照）が開閉可能に取り付けられている。
【００１９】
また、収納空間１４には、水切り棚２を昇降させるための昇降機構６が設置されている。すなわち、収納空間１４の左側板１４Ａおよび右側板１４Ｂの内面には、図６に示すように、それぞれ、上下方向に延びる一対のガイドレール１５が固定されている。また、一対のガイドレール１５の間には、図７に示すように、ガイドレール１５の上端部および下端部に対応する位置に、上プーリ１６Ａおよび下プーリ１６Ｂが各々固定されている。
【００２０】
水切り棚２の左側部フレーム２Ｃの下部および右側部フレーム２Ｄの下部には、図５に示すように、それぞれ、Ｈ字状（図９参照）のブラケット１７が固定されている。このブラケット１７には、一対のガイドレール１５に対して上下方向に摺動可能に嵌り込む４つの合成樹脂製のシュー１８が取り付けられている。そして、ブラケット１７のシュー１８がガイドレール１５により上下方向にガイドされながら摺動することによって、水切り棚２がカウンター１ａの下方の下降位置Ｄとカウンター１ａの上方の上昇位置Ｕとの間で昇降移動される。
【００２１】
ここで、本実施形態では、図１および図２に示すように、水切り棚２の天板カウンター４の前面の右側位置には、水切り棚２の昇降操作を行うためのスイッチパネル７が取り付けられている。このスイッチパネル７には、図３に示すように、水切り棚２に対して昇降指示を行うための上昇スイッチ７ａ、停止スイッチ７ｂおよび下降スイッチ７ｃと、周知のチャイルドロック機能を有するロックスイッチ７ｄと、点灯または点滅などにより昇降式収納装置１００の種々の状態をユーザに報知するためのＬＥＤ７ｅおよび７ｆとが設けられている。
【００２２】
また、本実施形態では、収納空間１４の底板１４Ｃの上面には、図４および図５に示すように、制御回路が内蔵された制御ボックス３２が取り付けられている。なお、制御ボックス３２は、本発明の「制御手段」の一例である。この制御ボックス３２の制御回路は、図１０に示すように、スイッチパネル７の各スイッチ７ａ〜７ｄ、ＬＥＤ７ｅおよびＬＥＤ７ｆや、後述する電動モータ２０などと電気的に接続されており、各スイッチ７ａ〜７ｃからの昇降指示などに基づいて電動モータ２０を駆動制御するとともに、昇降式収納装置１００の所定箇所に設けられたセンサーからの信号などに基づいて装置状態をＬＥＤ７ｅおよび７ｆを介してユーザに報知するための機能を有している。
【００２３】
また、収納空間１４の底板１４Ｃの中央位置には、図６に示すように、駆動源としての電動モータ２０と、電動モータ２０によりチェーン２１ａを介して一体的に駆動される２つのドラム２１Ａおよび２１Ｂとが設置されている。ドラム２１Ａには、ベルト２２Ａが下方から巻き付けられて、その内端部が固定されている。このベルト２２Ａは、左側板１４Ａの下プーリ１６Ｂと上プーリ１６Ａとに順次係合されて、その外端部が水切り棚２の左側部フレーム２Ｃのブラケット１７に固定されている。また、ドラム２１Ｂには、ベルト２２Ｂが上方から巻き付けられて、その内端部が固定されている。このベルト２２Ｂは、右側板１４Ｂの下プーリ１６Ｂと上プーリ１６Ａとに順次係合されて、その外端部が水切り棚２の右側部フレーム２Ｄのブラケット１７に固定されている。
【００２４】
したがって、スイッチパネル７の上昇スイッチ７ａ（図３参照）をプッシュ操作して上昇指示を与えることで、制御ボックス３２の制御回路により電動モータ２０が正回転するように駆動制御されると、ドラム２１Ａおよび２１Ｂが図５の矢印ａ方向に駆動されて、ベルト２２Ａおよび２２Ｂがドラム２１Ａおよび２１Ｂに各々巻き取られる。そして、水切り棚２の左右のブラケット１７がガイドレール１５でガイドされながら、ベルト２２Ａおよび２２Ｂにより上方に引っ張られて上昇することにより、水切り棚２がカウンター１ａの上方の上昇位置Ｕに向かって連続的に上昇される。その後、水切り棚２が上昇位置Ｕまで上昇されると、電動モータ２０が停止するとともに、逆回転しないようにロックされる。これにより、上昇スイッチ７ａをさらにプッシュ操作したとしても電動モータ２０がさらに正回転することのないように制御される。
【００２５】
また、スイッチパネル７の下降スイッチ７ｃ（図３参照）をプッシュ操作して下降指示を与えることで、制御ボックス３２の制御回路により電動モータ２０のロックが解除されて、図１１に示すように、水切り棚２の左右のブラケット１７がガイドレール１５でガイドされながら、水切り棚２が自重により連続的に下降する。なお、この水切り棚２の下降の際に、電動モータ２０を逆回転させながら左右のベルト２２Ａおよび２２Ｂをドラム２１Ａおよび２１Ｂから繰り出すが、この電動モータ２０の逆回転は、水切り棚２が自重で急激に下降することのないようにブレーキを掛けながら行われるように設定されている。
【００２６】
ここで、本実施形態では、下降中の水切り棚２は、図１２に示すように、天板カウンター４の下部が昇降用開口５より上方に所定間隔ｄ（本実施形態では、約１００ｍｍ）を隔てた位置まで下降した際に一時停止するように制御ボックス３２の制御回路により制御される。なお、水切り棚２（天板カウンター４の下部）の上記一時停止位置への到達は、たとえば収納空間１４内に設けられたセンサーからの検出信号や電動モータ２０のモータ回転数などにより検出される。そして、水切り棚２の一時停止後に下降スイッチ７ｃを改めてプッシュ操作（いわゆる２段押し）し続けることにより、一時停止位置の水切り棚２が下降位置Ｄに向かってさらに下降し、図１３に示すように、水切り棚２の天板カウンター４がカバー枠８とともに昇降用開口５を覆う位置で停止する。なお、水切り棚２が一時停止位置よりも上方にある状態で下降スイッチ７ｃを押し続けたとしても、水切り棚２が一時停止位置で必ず停止するように制御される。また、水切り棚２が一時停止位置より下降位置Ｄに向かって下降中に、下降スイッチ７ｃを押し続ける動作が中断された場合には、水切り棚２の下降動作を直ちに停止するように制御される。
【００２７】
また、スイッチパネル７の停止スイッチ７ｂ（図３参照）をプッシュ操作することで、制御ボックス３２の制御回路により電動モータ２０を停止させ、水切り棚２を上昇途中または下降途中の任意の位置で停止させることが可能である。
【００２８】
また、スイッチパネル７のロックスイッチ７ｄ（図３参照）を設定時間（たとえば３秒間）プッシュ操作し続けることで、ＬＥＤ７ｅが点灯してロック状態となり、各スイッチ７ａ〜７ｃをプッシュ操作したとしても上記プッシュ操作がキャンセルされるようになっている。一方、ＬＥＤ７ｅが点灯した状態で、ロックスイッチ７ｄを上記設定時間（３秒間）プッシュ操作し続けることで、ＬＥＤ７ｅが消灯してロック状態が解除される。また、水切り棚２の昇降動作の異常や過積載などの状態がＬＥＤ７ｅの点滅によって報知され、図示しないブザーによって警報されるように構成されている。
【００２９】
また、水切り棚２の下部フレーム２Ｂには、図５に示すように、水受けトレー１０が取り付けられている。この水受けトレー１０は、底部の中央部が下方に向かって窪むようなすり鉢状に形成されており、水受けトレー１０の底部の中央部には排水口１０ａが設けられている。この排水口１０ａには、可撓性を有する排水パイプ２５の一方端２５ａが接続されている。
【００３０】
また、収納空間１４の背板１４Ｄには、図４および図５に示すように、収納空間１４の中央近傍に位置するように箱形状の水受けマス２６が取り付けられている。また、収納空間１４の背板１４Ｄには、シンク３（図２参照）から水切り棚２に食器類を移動させる際に垂れ落ちた水などを受け止めるための一対の水受け樋３０ａおよび３０ｂが背板１４Ｄに対して密着状態で、かつ、傾斜して取り付けられている。この一対の水受け樋３０ａおよび３０ｂは、水受けマス２６を挟んで対向して配置されており、一対の水受け樋３０ａおよび３０ｂの傾斜の下手側端部は、それぞれ、水受けマス２６に接続されている。
【００３１】
また、水受け樋３０ａおよび３０ｂの下部には、それぞれ、水受け樋３０ａおよび３０ｂに沿って延びる筒状の排水路３２ａおよび３２ｂが一体的に形成されている。この筒状の排水路３２ａおよび３２ｂは、水受け樋３０ａおよび３０ｂの傾斜の下手側端部において水受けマス２６に接続されている。また、水受けトレー１０の排水口１０ａに一方端２５ａが接続された排水パイプ２５は、図５に示すように、下方に向かって延在しながら、その他方端２５ｂが水受け樋３０ａの傾斜の上手側端部に対応する排水路３２ａの端部に接続されている。これにより、水受け棚２の水受けトレー１０の水は、排水パイプ２５および排水路３２ａを介して水受けマス２６に排出される。
【００３２】
また、水受けマス２６は、蓋部材２６Ａにより上方を覆われている。また、水受けマス２６の下部には、Ｕ字状の排水トラップ２７の入口端が接続されている。また、排水トラップ２７の出口端は、排水管２８に接続されており、排水管２８は、収納空間１４の底板１４Ｃの開口１４ａを介して下水配管（図示せず）などに接続されている。なお、排水トラップ２７には、図示しない水位センサーが設けられており、排水トラップ２７内の水の有無がＬＥＤ７ｆの点灯および消灯によって報知されるとともに、排水トラップ２７内の異常状態がＬＥＤ７ｆの点滅によって報知され、図示しないブザーによって警報されるように構成されている。
【００３３】
また、水受けマス２６には、水受けマス２６以降の流路に詰まりが発生して水受けマス２６に所定量以上の水が収容された際に、水受けマス２６の排水処理を補助的に行うための配管４０が接続されている。また、配管４０の出口側の端部には、配管４０より流れ出る水を貯留するための貯水ケース４１が接続されている。この貯水ケース４１は、収納空間１４の底板１４Ｃの下方に配置されており、底板１４Ｃに形成された切欠き１４ｂを介して収納空間１４内に露出している。これにより、ユーザは、収納空間１４のダイニング・リビング側に開閉可能に設けられた点検用扉１４Ｅを開けることによって、底板１４Ｃの切欠き１４ｂを介して、貯水ケース４１に水が溜まっているか否かを視認することが可能である。
【００３４】
本実施形態では、上記のように、キッチン用フロアキャビネット１のカウンター１ａの一部に形成した昇降用開口５内に設置された水切り棚２を、昇降機構６により、昇降式収納装置１００の不使用時に、カウンター１ａの下方の収納空間１４に下降させるとともに、昇降式収納装置１００の使用時に、カウンター１ａの上方に上昇させるように構成することによって、キッチンとダイニング・リビングとの間に壁面が存在しないオープン型の対面キッチンに適用したキッチン用フロアキャビネット１にも、昇降式収納装置１００を容易に設置可能であり、水切り棚２をカウンター１ａの上方に上昇させた場合には、立った姿勢のままで水切り棚２に対して食器類の出し入れを行うことができる。
【００３５】
また、本実施形態では、上記のように、水切り棚２を昇降機構６により昇降可能に構成することによって、水切り棚２をカウンター１ａの上方に上昇させた場合に、水切り棚２のいずれの段に対しても容易に食器類を出し入れすることができるとともに、水切り棚２をカウンター１ａの下方の収納空間１４に下降させた場合に、水切り棚２の天板カウンター４がカウンター１ａの一部を構成するので、カウンター１ａの上面をより広く使用することができ、その結果、作業性を向上させることができる。
【００３６】
また、本実施形態では、上記のように、スイッチパネル７の下降スイッチ７ｃをプッシュ操作することにより下降する水切り棚２を、天板カウンター４の下部が昇降用開口５より上方に所定間隔ｄ（約１００ｍｍ）を隔てた位置まで下降した際に一時停止させるように制御ボックス３２の制御回路により制御することによって、水切り棚２が下降位置Ｄまで連続して下降せずに下降途中の所定位置（一時停止位置）で一時停止するので、水切り棚２の下降中に天板カウンター４の下部と昇降用開口５との間に異物（たとえば、食器類や調味料の瓶など）が存在したとしても、その異物が天板カウンター４の下部と昇降用開口５とにより挟まれるのを抑制することができる。これにより、水切り棚２の下降時における異物の挟み込みを抑制することができる。
【００３７】
また、本実施形態では、上記のように、水切り棚２の一時停止後に下降スイッチ７ｃを改めて押し続けることにより、水切り棚２を一時停止位置よりさらに下降させるように制御することによって、下降スイッチ７ｃを改めて押し続けることによってのみ、水切り棚２を一時停止位置よりさらに下降させることができるので、水切り棚２が一時停止位置よりも上方にある状態で下降スイッチ７ｃを押し続けたとしても、水切り棚２を一時停止位置で必ず停止させることができる。これにより、水切り棚２が一時停止位置で停止せずに連続して下降するのを確実に抑制することができる。また、この場合、下降スイッチ７ｃを押し続ける動作を中断することにより、直ちに水切り棚２の下降を停止させることができるので、水切り棚２が一時停止位置よりさらに下降中に、天板カウンター４の下部と昇降用開口５との間に異物が突発的に配置された場合にも、その異物が天板カウンター４の下部と昇降用開口５とにより挟まれるのを抑制することができる。これらのことから、水切り棚２の下降時における異物の挟み込みをより確実に抑制することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、各スイッチ７ａ〜７ｃなどを備えたスイッチパネル７を水切り棚２の天板カウンター４の前面の右側位置に設置する例について示したが、本発明はこれに限らず、各スイッチ７ａ〜７ｃなどを備えたスイッチパネル７を、天板カウンター４の上面やキッチン用フロアキャビネット１のカウンター１ａの上面などに設置してもよい。また、制御ボックス３２の制御回路に電気ケーブルなどを用いて移動可能に接続されたスイッチパネル７を用いることも可能である。
【００４０】
また、上記実施形態では、水切り棚２を一時停止させる基準としての天板カウンター４の下部と昇降用開口５との間隔ｄを約１００ｍｍに設定する例について示したが、本発明はこれに限らず、水切り棚２を一時停止させる基準としての天板カウンター４の下部と昇降用開口５との間隔ｄを、１００ｍｍよりも大きく設定してもよいし、１００ｍｍよりも小さく設定してもよい。
【００４１】
また、上記実施形態では、本発明の昇降式収納装置を、食器類を水切り部２ａおよび２ｂに載置することにより食器類の水切りを行う水切り棚２を備えた昇降式収納装置１００に適用する例について示したが、本発明はこれに限らず、乾燥手段を用いて載置した食器類を乾燥させることにより食器類の水切りを行う食器乾燥機や、乾燥前に載置した食器類の洗浄を行う機能が付加された食器洗い乾燥機などを備えた昇降式収納装置にも本発明を適用可能である。
【図面の簡単な説明】
【００４２】
【図１】本発明の一実施形態による昇降式収納装置を含むキッチン用フロアキャビネットにおいて昇降式収納装置が下降した状態を示した斜視図である。
【図２】図１に示したキッチン用フロアキャビネットにおいて昇降式収納装置が上昇した状態を示した斜視図である。
【図３】図１に示した一実施形態による昇降式収納装置のスイッチパネルを示した正面図である。
【図４】図２に示した一実施形態による昇降式収納装置をダイニング・リビング側から見た状態を示した斜視図である。
【図５】図４に示した一実施形態による昇降式収納装置をダイニング・リビング側から見た状態を示した正面図である。
【図６】図４に示した一実施形態による昇降式収納装置の昇降機構の構成を示した平面図である。
【図７】図４に示した一実施形態による昇降式収納装置の昇降機構の構成を示した断面図である。
【図８】図４に示した一実施形態による昇降式収納装置の水切り棚において天板カウンターを省略した状態を示した斜視図である。
【図９】図４に示した一実施形態による昇降式収納装置のガイドレールおよびブラケットを示した斜視図である。
【図１０】図４に示した一実施形態による昇降式収納装置の制御構成を示したブロック図である。
【図１１】図２に示した一実施形態による昇降式収納装置の水切り棚の下降動作を説明するための図であり、水切り棚が上昇位置にある状態を示した図である。
【図１２】図２に示した一実施形態による昇降式収納装置の水切り棚の下降動作を説明するための図であり、水切り棚が一時停止位置にある状態を示した図である。
【図１３】図２に示した一実施形態による昇降式収納装置の水切り棚の下降動作を説明するための図であり、水切り棚が下降位置にある状態を示した図である。
【符号の説明】
【００４３】
１  キッチン用フロアキャビネット
１ａ  カウンター
２  水切り棚（収納棚）
５  昇降用開口
６  昇降機構
７ｃ  下降スイッチ
１４  収納空間
３２  制御ボックス（制御手段）
１００  昇降式収納装置
【図１】
2006296674.tif 000003
【図２】
2006296674.tif 000004
【図３】
2006296674.tif 000005
【図４】
2006296674.tif 000006
【図５】
2006296674.tif 000007
【図６】
2006296674.tif 000008
【図７】
2006296674.tif 000009
【図８】
2006296674.tif 000010
【図９】
2006296674.tif 000011
【図１０】
2006296674.tif 000012
【図１１】
2006296674.tif 000013
【図１２】
2006296674.tif 000014
【図１３】
2006296674.tif 000015